【手続補正書】
【提出日】平成15年10月14日(2003.10.14)
【手続補正１】
【補正対象書類名】明細書
【補正対象項目名】特許請求の範囲
【補正方法】変更
【補正の内容】
【特許請求の範囲】
【請求項１】
音声信号または音声帯域データ信号である入力信号から、モデム信号のスタートアップ手順における特定の信号を検出する特定信号検出手段と、
前記特定信号検出手段により前記特定の信号が検出された場合と前記特定信号検出手段により前記特定の信号が検出されない場合とで異なる品質の伝送信号にして前記入力信号を、伝送路を介して対向側装置へ送信する送信手段と
を備えた伝送装置。
【請求項２】
前記スタートアップ手順は、Ｖ．８手順またはＶ．８ｂｉｓ手順であることを特徴とする請求項1記載の伝送装置。
【請求項３】
前記スタートアップ手順における特定の信号は、ＡＮＳａｍ信号である
ことを特徴とする請求項１記載の伝送装置。
【請求項４】
前記スタートアップ手順における特定の信号は、Ｖ．２１チャネルＮｏ．１モデム信号である
ことを特徴とする請求項１記載の伝送装置。
【請求項５】
入力信号から無変調２１００Ｈｚトーン信号を検出する第１のトーン信号検出手段を備え、
送信手段は、前記第１のトーン信号検出手段により無変調２１００Ｈｚトーン信号が検出された場合、特定信号検出手段により特定の信号が検出された場合の品質で伝送信号を送信しない
ことを特徴とする請求項４記載の伝送装置。
【請求項６】
音声信号または音声帯域データ信号である入力信号を所定の符号化モードで符号化する符号化手段を備え、
送信手段は、特定信号検出手段により特定の信号が検出された場合、前記入力信号を伝送信号としてそのままの品質で送信し、前記特定信号検出手段により前記特定の信号が検出されない場合、前記符号化手段により所定の品質で符号化された信号を伝送信号として送信する
ことを特徴とする請求項１記載の伝送装置。
【請求項７】
音声信号または音声帯域データ信号である入力信号を所定の第１の品質の符号化モードで符号化する第１の符号化手段と、前記入力信号を前記第１の品質より低い第２の品質の符号化モードで符号化する第２の符号化手段とを備え、
送信手段は、特定信号検出手段により特定の信号が検出された場合、前記第１の符号化手段により符号化された信号を伝送信号として送信し、前記特定信号検出手段により前記特定の信号が検出されない場合、前記第２の符号化手段により符号化された信号を伝送信号として送信する
ことを特徴とする請求項１記載の伝送装置。
【請求項８】
特定信号検出手段と送信手段とを有する送信側装置と、
対向側装置から伝送信号を受信し、前記伝送信号を元の入力信号にして出力信号として出力する受信側装置とを備える
ことを特徴とする請求項１記載の伝送装置。
【請求項９】
伝送信号の品質の切換要求を示すメッセージを対向側装置へ送信するメッセージ送信手段と、前記対向側装置からの前記メッセージを受信するメッセージ受信手段とを備え、
送信手段は、前記メッセージ受信手段により前記メッセージが受信された場合、前記メッセージで指定された品質に、対向側装置への伝送信号の品質を切り換える
ことを特徴とする請求項８記載の伝送装置。
【請求項１０】
特定の信号が検出された場合にその検出情報を対向側装置へ送信する検出情報送信手段と、前記対向側装置からの前記検出情報を受信する検出情報受信手段とを備え、
送信手段は、前記検出情報受信手段により前記検出情報が受信された場合、対向側装置への伝送信号の品質を切り換える
ことを特徴とする請求項８記載の伝送装置。
【請求項１１】
特定の信号を検出した後、入力信号のチャネルが無音状態になったときに、そのチャネルに対応する伝送信号のチャネルの品質を切り換える
ことを特徴とする請求項１記載の伝送装置。
【請求項１２】
特定の信号を検出した後、入力信号のチャネルが無音状態になり、かつそのチャネルに対応する対向側装置からの伝送信号のチャネルが無音状態になった場合に、前記入力信号のチャネルに対応する前記対向側装置への伝送信号のチャネルの品質を切り換える
ことを特徴とする請求項８記載の伝送装置。
【請求項１３】
特定の信号を検出し、特定信号の品質を特定の信号を検出した場合の品質に切り換えた後、呼切断を検出したときに、伝送信号の品質を特定の信号を検出しない場合の品質に戻す
ことを特徴とする請求項１または請求項８記載の伝送装置。
【請求項１４】
所定時間以上継続して、入力信号のチャネルが無音状態であるときに、呼切断を検出したと判定する
ことを特徴とする請求項１３記載の伝送装置。
【請求項１５】
所定時間以上継続して、入力信号のチャネルが無音状態でありかつそのチャネルに対応する対向側装置からの伝送信号が無音状態であるときに、呼切断を検出したと判定する
ことを特徴とする請求項１３記載の伝送装置。
【請求項１６】
入力信号としてのファクシミリ信号またはデータモデム信号および前記入力信号に対応する対向側装置からの伝送信号としてのファクシミリ信号またはデータモデム信号の送受信プロトコルを監視して呼切断を検出する
ことを特徴とする請求項１３記載の伝送装置。
【請求項１７】
出力信号から前記スタートアップ手順における特定の信号を検出する特定信号検出手段を備える
ことを特徴とする請求項８記載の伝送装置。
【請求項１８】
入力信号としてのファクシミリ信号を発呼側から着呼側へ送信する場合、所定の第１の品質で伝送信号を対向側装置へ送信し、着呼側から発呼側へ送信する場合、前記第１の品質より低い第２の品質で伝送信号を対向側装置へ送信する
ことを特徴とする請求項８記載の伝送装置。
【請求項１９】
特定の信号を検出し、伝送信号の品質を特定の信号を検出した場合の品質に切り換えた後、新たな呼接続を検出したときに、伝送信号の品質を特定の信号を検出しない場合の品質に戻す
ことを特徴とする請求項１記載の伝送装置。
【請求項２０】
入力信号からチャネル導通試験に使用する特定周波数のトーン信号を検出する第２のトーン信号検出手段を備え、
前記第２のトーン信号検出手段により前記トーン信号が検出された場合に、新たな呼接続を検出したと判定する
ことを特徴とする請求項１９記載の伝送装置。
【請求項２１】
入力信号からＣＮＧ信号またはＣＥＤ信号を検出する第３のトーン信号検出手段を備え、
前記第３のトーン信号検出手段により前記ＣＮＧ信号またはＣＥＤ信号が検出された場合、新たな呼接続を検出したと判定する
ことを特徴とする請求項１９記載の伝送装置。
【請求項２２】
入力信号からＮｏ．５シグナリングに基づく特定周波数のトーン信号を検出する第４のトーン信号検出手段を備え、
前記第４のトーン信号検出手段により前記トーン信号が検出された場合、呼切断または新たな呼接続を検出したと判定する
ことを特徴とする請求項１３または請求項１９記載の伝送装置。
【請求項２３】
送信手段は、特定の信号が検出された場合の伝送信号をＡＴＭセルとして伝送する
ことを特徴とする請求項１記載の伝送装置。
【請求項２４】
送信手段は、特定の信号が検出された場合の伝送信号をＩＰパケットとして伝送する
ことを特徴とする請求項１記載の伝送装置。
【請求項２５】
送信手段は、伝送信号をＡＴＭセルとして伝送する
ことを特徴とする請求項１記載の伝送装置。
【請求項２６】
送信手段は、伝送信号をＩＰパケットとして伝送する
ことを特徴とする請求項１記載の伝送装置。
【請求項２７】
音声信号または音声帯域データ信号である入力信号から、モデム信号のスタートアップ手順における特定の信号を検出するステップと、
前記特定の信号が検出された場合と前記特定の信号が検出されない場合とで異なる品質の伝送信号にして前記入力信号を、伝送路を介して対向側装置へ送信するステップと
を備えた伝送方法。
【請求項２８】
前記スタートアップ手順は、Ｖ．８手順またはＶ．ｂｉｓ手順であることを特徴とする請求項２７記載の伝送方法。
【請求項２９】
前記スタートアップ手順における特定の信号は、ＡＮＳａｍ信号である
ことを特徴とする請求項２７記載の伝送方法。
【請求項３０】
前記スタートアップ手順における特定の信号は、Ｖ．２１チャネルＮｏ．１モデム信号である
ことを特徴とする請求項２７記載の伝送方法。
【請求項３１】
入力信号から無変調２１００Ｈｚトーン信号を検出するステップを備え、
前記無変調２１００Ｈｚトーン信号が検出された場合に特定信号検出手段により特定の信号が検出された場合の品質で伝送信号を送信しない
ことを特徴とする請求項３０記載の伝送方法。
【請求項３２】
特定の信号が検出された場合、入力信号を伝送信号としてそのままの品質で送信し、前記特定の信号が検出されない場合、前記入力信号を所定の品質で符号化した信号を伝送信号として送信する
ことを特徴とする請求項２７記載の伝送方法。
【請求項３３】
特定の信号が検出された場合、入力信号を所定の第１の品質の符号化モードで符号化した信号を伝送信号として送信し、前記特定の信号が検出されない場合、前記入力信号を前記第１の品質より低い第２の品質の符号化モードで符号化した信号を伝送信号として送信する
ことを特徴とする請求項２７記載の伝送方法。
【請求項３４】
対向側装置から伝送信号を受信するステップと、
前記伝送信号を元の入力信号にして出力信号として出力するステップとを備える
ことを特徴とする請求項２７記載の伝送方法。
【請求項３５】
伝送信号の品質の切換要求を示すメッセージを対向側装置へ送信するステップと、前記対向側装置からの前記メッセージを受信するステップとを備え、
前記メッセージが受信された場合、前記メッセージで指定された品質に、対向側装置への伝送信号の品質を切り換える
ことを特徴とする請求項３４記載の伝送方法。
【請求項３６】
特定の信号が検出された場合にその検出情報を対向側装置へ送信するステップと、前記対向側装置からの前記検出情報を受信するステップとを備え、
前記検出情報が受信された場合、対向側装置への伝送信号の品質を切り換える
ことを特徴とする請求項３４記載の伝送方法。
【請求項３７】
特定の信号を検出した後、入力信号のチャネルが無音状態になったときに、そのチャネルに対応する伝送信号のチャネルの品質を切り換える
ことを特徴とする請求項２７記載の伝送方法。
【請求項３８】
特定の信号を検出した後、入力信号のチャネルが無音状態になり、かつそのチャネルに対応する対向側装置からの伝送信号のチャネルが無音状態になった場合に、前記入力信号のチャネルに対応する前記対向側装置への伝送信号のチャネルの品質を切り換える
ことを特徴とする請求項３４記載の伝送方法。
【請求項３９】
特定の信号を検出し、伝送信号の品質を特定の信号と検出した場合の品質に切り換えた後、呼切断を検出したときに、伝送信号の品質を特定の信号を検出しない場合の品質に戻す
ことを特徴とする請求項２７または請求項３４記載の伝送方法。
【請求項４０】
所定時間以上継続して、入力信号のチャネルが無音状態であるときに、呼切断を検出したと判定する
ことを特徴とする請求項３９記載の伝送方法。
【請求項４１】
所定時間以上継続して、入力信号のチャネルが無音状態でありかつそのチャネルに対応する対向側装置からの伝送信号が無音状態であるときに、呼切断を検出したと判断する
ことを特徴とする請求項３９記載の伝送方法。
【請求項４２】
入力信号としてのファクシミリ信号またはデータモデム信号および前記入力信号に対応する対向側装置からの伝送信号としてのファクシミリ信号またはデータモデム信号の送受信プロトコルを監視して呼切断を検出する
ことを特徴とする請求項３９記載の伝送方法。
【請求項４３】
出力信号から前記スタートアップ手順における特定の信号を検出するステップを備える
ことを特徴とする請求項３４記載の伝送方法。
【請求項４４】
入力信号としてのファクシミリ信号を発呼側から着呼側へ送信する場合、所定の第１の品質で伝送信号を対向側装置へ送信し、着呼側から発呼側へ送信する場合、前記第１の品質より低い第２の品質で伝送信号を対向側装置へ送信する
ことを特徴とする請求項３４記載の伝送方法。
【請求項４５】
特定の信号を検出し、伝送信号の品質を特定の信号を検出しない場合の品質に切り換えた後、新たな呼接続を検出したときに、伝送信号の品質を特定の信号を検出しない場合の品質に戻す
ことを特徴とする請求項２７記載の伝送方法。
【請求項４６】
入力信号からチャネル導通試験に使用する特定周波数のトーン信号を検出するステップを備え、
前記トーン信号が検出された場合に、新たな呼接続を検出したと判定する
ことを特徴とする請求項４５記載の伝送方法。
【請求項４７】
入力信号からＣＮＧ信号またはＣＥＤ信号を検出するステップを備え、
前記ＣＮＧ信号またはＣＥＤ信号が検出された場合、新たな呼接続を検出したと判定する
ことを特徴とする請求項４５記載の伝送方法。
【請求項４８】
入力信号からＮｏ．５シグナリングに基づく特定周波数のトーン信号を検出するステップを備え、
前記トーン信号が検出された場合、呼切断または新たな呼接続を検出したと判定する
ことを特徴とする請求項３９または請求項４５記載の伝送方法。
【請求項４９】
特定の信号が検出された場合の伝送信号をＡＴＭセルとして伝送する
ことを特徴とする請求項２７記載の伝送方法。
【請求項５０】
特定の信号が検出された場合の伝送信号をＩＰパケットとして伝送する
ことを特徴とする請求項２７記載の伝送方法。
【請求項５１】
伝送信号をＡＴＭセルとして伝送する
ことを特徴とする請求項２７記載の伝送方法。
【請求項５２】
伝送信号をＩＰパケットとして伝送する
ことを特徴とする請求項２７記載の伝送方法。
【手続補正２】
【補正対象書類名】明細書
【補正対象項目名】００２４
【補正方法】変更
【補正の内容】
【００２４】
この発明に係る伝送装置は、音声信号または音声帯域データ信号である入力信号から、モデム信号のスタートアップ手順における特定の信号を検出する特定信号検出手段と、その特定の信号が検出された場合とその特定の信号が検出されない場合とで異なる品質の伝送信号にして入力信号を、伝送路を介して対向側装置へ送信する送信手段とを備えるものである。
この発明に係る伝送装置は、スタートアップ手順が、Ｖ．８手順またはＶ．８ｂｉｓ手順であることを特徴とするものである。
【手続補正３】
【補正対象書類名】明細書
【補正対象項目名】００２５
【補正方法】変更
【補正の内容】
【００２５】
この発明に係る伝送装置は、スタートアップ手順における特定の信号をＡＮＳａｍ信号としたものである。


【手続補正４】
【補正対象書類名】明細書
【補正対象項目名】００２６
【補正方法】変更
【補正の内容】
【００２６】
この発明に係る伝送装置は、スタートアップ手順における特定の信号をＶ．２１チャネルＮｏ．１モデム信号としたものである。


【手続補正５】
【補正対象書類名】明細書
【補正対象項目名】００３９
【補正方法】変更
【補正の内容】
【００３９】
この発明に係る伝送装置は、出力信号からスタートアップ手順における特定の信号を検出する特定検出手段を備えるようにしたものである。


【手続補正６】
【補正対象書類名】明細書
【補正対象項目名】００４９
【補正方法】変更
【補正の内容】
【００４９】
この発明に係る伝送方法は、音声信号または音声帯域データ信号である入力信号から、モデム信号のスタートアップ手順における特定の信号を検出するステップと、その特定の信号が検出された場合とその特定の信号が検出されない場合とで異なる品質の伝送信号にして前記入力信号を、伝送路を介して対向側装置へ送信するステップとを備えるものである。
この発明に係る伝送方法は、スタートアップ手順が、Ｖ．８手順またはＶ．ｂｉｓ手順であることを特徴とするものである。
【手続補正７】
【補正対象書類名】明細書
【補正対象項目名】００５０
【補正方法】変更
【補正の内容】
【００５０】
この発明に係る伝送方法は、スタートアップ手順における特定の信号をＡＮＳａｍ信号としたものである。


【手続補正８】
【補正対象書類名】明細書
【補正対象項目名】００５１
【補正方法】変更
【補正の内容】
【００５１】
この発明に係る伝送方法は、スタートアップ手順における特定の信号をＶ．２１チャネルＮｏ．１モデム信号としたものである。


【手続補正９】
【補正対象書類名】明細書
【補正対象項目名】００６４
【補正方法】変更
【補正の内容】
【００６４】
この発明に係る伝送方法は、出力信号からスタートアップ手順における特定の信号を検出するステップを備えるようにしたものである。


【手続補正１０】
【補正対象書類名】明細書
【補正対象項目名】０３９８
【補正方法】変更
【補正の内容】
【０３９８】
【発明の効果】
以上のように、この発明によれば、音声信号または音声帯域データ信号である入力信号からモデム信号のスタートアップ手順における特定の信号を検出し、特定の信号が検出された場合と特定の信号が検出されない場合とで異なる品質の伝送信号にして入力信号を、伝送路を介して対向側装置へ送信するように構成したので、伝送する信号に必要な品質のチャネルを適切に選択して正常に信号を伝送することができるという効果がある。


【手続補正１１】
【補正対象書類名】明細書
【補正対象項目名】０３９９
【補正方法】変更
【補正の内容】
【０３９９】
この発明によれば、スタートアップ手順をＶ．８手順またはＶ．８ｂｉｓ手順としたので、Ｖ．３４モデム伝送が開始されたことを検出することができ、Ｖ．３４モデム伝送を正常に伝送可能なチャネルに切り換えることができるという効果がある。


【手続補正１２】
【補正対象書類名】明細書
【補正対象項目名】０４００
【補正方法】変更
【補正の内容】
【０４００】
この発明によれば、スタートアップ手順における特定の信号をＡＮＳａｍ信号としたので、Ｖ．３４モデム伝送が開始されたことを検出することができ、Ｖ．３４モデム伝送を正常に伝送可能なチャネルに切り換えることができるという効果がある。


【手続補正１３】
【補正対象書類名】明細書
【補正対象項目名】０４０１
【補正方法】変更
【補正の内容】
【０４０１】
この発明によれば、スタートアップ手順における特定の信号をＶ．２１チャネルＮｏ．１モデム信号としたので、Ｖ．３４モデム伝送が開始されたことを検出することができ、Ｖ．３４モデム伝送を正常に伝送可能なチャネルに切り換えることができるという効果がある。


【手続補正１４】
【補正対象書類名】明細書
【補正対象項目名】０４０６
【補正方法】変更
【補正の内容】
【０４０６】
この発明によれば、特定の信号が検出された場合にその検出情報を対向側装置へ送信し、対向側装置からその検出情報が受信された場合、対向側装置への伝送信号の品質を切り換えるようにしたので、互いに対応する双方向のチャネルを６４ｋｂｉｔ／ｓクリアチャネルなどの所定の品質のものに切り換えることができるという効果がある。


【手続補正１５】
【補正対象書類名】明細書
【補正対象項目名】０４０７
【補正方法】変更
【補正の内容】
【０４０７】
この発明によれば、特定の信号を検出した後、入力信号のチャネルが無音状態になったときに、そのチャネルに対応する伝送信号のチャネルの品質を切り換えるようにしたので、切換後の品質のチャネルを割り付けることができずに通信に不具合が生ずることを抑制することができるという効果がある。


【手続補正１６】
【補正対象書類名】明細書
【補正対象項目名】０４０８
【補正方法】変更
【補正の内容】
【０４０８】
この発明によれば、特定の信号を検出した後、入力信号のチャネルが無音状態になり、かつそのチャネルに対応する対向側装置からの伝送信号のチャネルが無音状態になった場合に、入力信号のチャネルに対応する対向側装置への伝送信号のチャネルの品質を切り換えるようにしたので、切換後の品質のチャネルを割り付けることができずに通信に不具合が生ずることを抑制することができるという効果がある。


【手続補正１７】
【補正対象書類名】明細書
【補正対象項目名】０４０９
【補正方法】変更
【補正の内容】
【０４０９】
この発明によれば、特定の信号を検出し、伝送信号の品質を特定の信号を検出した場合の品質に切り換えた後、呼切断を検出したときに、伝送信号の品質を切り換えるようにしたので、呼の終了に基づいて、そのチャネルの品質を切り換えるようにすることができるという効果がある。


【手続補正１８】
【補正対象書類名】明細書
【補正対象項目名】０４１１
【補正方法】変更
【補正の内容】
【０４１１】
この発明によれば、特定の信号を検出した後、所定時間以上継続して、入力信号のチャネルが無音状態でありかつそのチャネルに対応する対向側装置からの伝送信号が無音状態であるときに、呼切断を検出したと判定するようにしたので、呼の終了に基づいて確実にチャネルの品質を切り換えることができるという効果がある。


【手続補正１９】
【補正対象書類名】明細書
【補正対象項目名】０４１３
【補正方法】変更
【補正の内容】
【０４１３】
この発明によれば、出力信号からスタートアップ手順における特定の信号を検出するようにしたので、互いに対応する双方向のチャネルを６４ｋｂｉｔ／ｓクリアチャネルなどの所定の品質のものに切り換えることができるという効果がある。また、品質の切換要求などを対向側装置に送信する必要がなくなるので、伝送するメッセージ量の増加を抑制することができるという効果がある。


【手続補正２０】
【補正対象書類名】明細書
【補正対象項目名】０４１５
【補正方法】変更
【補正の内容】
【０４１５】
この発明によれば、特定の信号を検出し、伝送信号の品質を特定の信号を検出した場合の品質に切り換えた後、新たな呼接続を検出したときに、伝送信号の品質を切り換えるようにしたので、高品質のチャネルにおいて呼が終了した後すぐにそのチャネルが使用されて無音状態の時間が十分得られない場合でも、確実にそのチャネルを所定の品質のチャネルに切り換えることができるという効果がある。